(57)【要約】【課題】規格の異なる光ディスクの再生及び記録に際し、球面収差の発生を抑え良好なスポットを形成するとともに、使用時にカバー層の厚み誤差によって生じる球面収差を補正し、異なる光ディスクの情報読取を安定的に行なうことができる光ピックアップ装置を提供する。【解決手段】少なくとも、レーザ光源と、対物レンズと、光検出器とを備えた光ピックアップ装置において、高分子樹脂１５ｂ中に液晶の粒１５ａが所定のパターンで分散してなるホログラフィック高分子分散型液晶１５を対向する一対の透明基板１１ａ、１１ｂ間に透明電極を介して挟持して構成した球面収差補正素子８を対物レンズ４よりレーザ光源側の光軸上に少なくとも２個以上設けた。【選択図】図２
2008052837.tif 000002
【特許請求の範囲】
【請求項１】
少なくとも、それぞれ波長の異なる光ビームを出射する複数の光源と、
前記光源から出射された光ビームを光記録媒体の記録面に集光する対物レンズと、
前記記録面で反射された反射光を受光する光検出器とを備えた光ピックアップ装置において、
高分子樹脂中に液晶の粒が所定のパターンで分散してなるホログラフィック高分子分散型液晶を対向する一対の透明基板上に支持される透明電極で挟持して構成した球面収差補正素子を、前記対物レンズより前記光源側の光軸上に少なくとも２個以上設けたことを特徴とする光ピックアップ装置。
【請求項２】
高分子樹脂中に液晶の粒が所定のパターンで分散してなるホログラフィック高分子分散型液晶を対向する一対の透明基板間で挟持して構成したことを特徴とする球面収差補正素子。
【請求項３】
前記高分子樹脂と前記液晶は略同一の屈折率を有し、
前記透明基板と前記ホログラフィック高分子分散型液晶との間には透明電極が配置されることを特徴とする請求項２に記載の球面収差補正素子。
【請求項４】
請求項２又は請求項３に記載の球面収差補正素子の作製方法であって、
前記透明基板間に前記液晶と前記高分子樹脂の混合液を挟み、該混合液に光の干渉縞を照射する工程を含むことを特徴とする球面収差補正素子の作製方法。
【請求項５】
少なくとも、それぞれ波長の異なる光ビームを出射する複数の光源と、
前記光源から出射された光ビームを光記録媒体の記録面に集光する対物レンズと、
前記記録面で反射された反射光を受光する光検出器とを備えた光ピックアップ装置において、
請求項２又は請求項３に記載の球面収差補正素子を前記対物レンズより前記光源側の光軸上に設けたことを特徴とする光ピックアップ装置。
【請求項６】
前記球面収差補正素子を少なくとも２個以上設けたことを特徴とする請求項５に記載の光ピックアップ装置。
【発明の詳細な説明】
【技術分野】
【０００１】
本発明は、ホログラフィック高分子液晶からなる球面収差補正素子及びそれを備える光ピックアップ装置に関するものである。
【背景技術】
【０００２】
コンパクトディスク（以下、ＣＤという。）やデジタル多用途ディスク（以下、ＤＶＤという。）といった光ディスクが普及している。更に、近年、光ディスクの情報量を増やすために、光ディスクの高密度化に関する研究が進められ、例えば、高品位のＤＶＤであるＨＤ−ＤＶＤやブルーレイディスク（以下、ＢＤという。）といった高密度化された光ディスクも実用化され始めている。
【０００３】
このような光ディスクの記録再生を行うにあたっては、光ディスクに光ビームを照射して情報の記録や情報の読み取りを可能とする光ピックアップ装置が用いられるが、光ディスクの種類によって、光ピックアップ装置に用いられる対物レンズの開口数（ＮＡ）や光源の波長が異なってくる。例えば、ＣＤに対しては、対物レンズのＮＡが０．５０、光源の波長が７８０ｎｍ、ＤＶＤに対しては、対物レンズのＮＡが０．６５、光源の波長が６５０ｎｍ、ＨＤ−ＤＶＤに対しては、対物レンズのＮＡが０．６５、光源の波長が４０５ｎｍ、ＢＤに対しては、対物レンズのＮＡが０．８５、光源の波長が４０５ｎｍとなる。
【０００４】
このように、光ディスクの種類によって、用いられる対物レンズのＮＡや波長が異なるために、光ディスク毎に異なる光ピックアップ装置を用いることも考えられるが、光ピックアップ装置の装置サイズの小型化や光ピックアップ装置の装置構成の簡易化等を目的として、光ディスクの記録面に光ビームを集光する対物レンズを１つのみ有する一つの光ピックアップ装置で複数の光ディスクに対応することが考えられる。
【０００５】
しかし、ＣＤ，ＤＶＤ，ＢＤ等の規格の異なる光ディスクはカバー層の厚みがそれぞれ異なるため、同一の装置で異なる波長のレーザを光ディスクに照射した場合、カバー層の厚み誤差に起因する球面収差が発生したり、図７に示すように対物レンズ４と光ディスクの作動距離（Ｗｏｒｋｉｎｇ  Ｄｉｓｔａｎｃｅ：以下ＷＤと略す）が特にＣＤにおいて短くなり、再生時、対物レンズ４と光ディスクが衝突することが問題となる。
【０００６】
従来、これらの問題点を解決する方法として、カバー層の厚み誤差に起因する球面収差を打ち消すように、光源と対物レンズとの間に配されたコリメータレンズを動かす方法や、１対のガラス基板間に配置した１対の透明電極内に液晶を封入して、電圧を印加することにより液晶の屈折率を変化させ入射した収差を補正する液晶回折素子が用いられていた（特許文献１参照）。
【特許文献１】特開平１０−９２０００公報
【発明の開示】
【発明が解決しようとする課題】
【０００７】
しかし、コリメータレンズを駆動させるためのアクチュエータを設ける場合、装置が大型化し、全体の設計が複雑になるという問題があった。
【０００８】
また、図８に示すように液晶回折素子１３を用いた場合、液晶解析素子１３を対物レンズ４の手前に配置して、対物レンズ４に所定の角度を有する発散光を入射するようにして球面収差の補正を行なうと、ＣＤを再生等する場合のＷＤを広げることが可能となり、前述のＷＤが短くなるといった問題を解消しつつ、各光ディスクに対して球面収差の問題を解消することが可能となった。しかし、液晶回折素子１３で回折されて生じる回折光には±１次光が発生するにもかかわらず、実際には片方の１次光しか使用しないため、光利用効率が低く、特に光強度が要求される再生及び記録時において好適な再生及び記録ができなくなるという問題があった。
【０００９】
そこで本発明は上記の事情に鑑み、規格の異なる光ディスクの再生及び記録に際し、球面収差の発生を抑え良好なスポットを形成するとともに、使用時にカバー層の厚み誤差によって生じる球面収差の補正及び適度なＷＤを確保することができる球面収差補正素子及びこれを備えた光ピックアップ装置を提供することを目的とする。
【課題を解決するための手段】
【００１０】
上記目的を達成するために本発明の構成は、少なくとも、それぞれ波長の異なる光ビームを出射する複数の光源と、前記光源から出射された光ビームを光記録媒体の記録面に集光する対物レンズと、前記記録面で反射された反射光を受光する光検出器とを備えた光ピックアップ装置において、高分子樹脂中に液晶の粒が所定のパターンで分散してなるホログラフィック高分子分散型液晶を対向する一対の透明基板上に支持される透明電極で挟持して構成した球面収差補正素子を、前記対物レンズより前記光源側の光軸上に少なくとも２個以上設けたことを特徴とする光ピックアップ装置である。
【００１１】
また本発明は、高分子樹脂中に液晶の粒が所定のパターンで分散してなるホログラフィック高分子分散型液晶を対向する一対の透明基板間で挟持して構成したことを特徴とする球面収差補正素子である。
【００１２】
また本発明は、上記構成の球面収差補正素子において、前記高分子樹脂と前記液晶は略同一の屈折率を有し、前記透明基板と前記ホログラフィック高分子分散型液晶との間には透明電極が配置されることを特徴とする。
【００１３】
また本発明は、上記構成の球面収差補正素子の作製方法であって、前記透明基板間に前記液晶と前記高分子樹脂の混合液を挟み、該混合液に光の干渉縞を照射する工程を含むことを特徴とする。
【００１４】
また本発明は、少なくとも、それぞれ波長の異なる光ビームを出射する複数の光源と、前記光源から出射された光ビームを光記録媒体の記録面に集光する対物レンズと、前記記録面で反射された反射光を受光する光検出器とを備えた光ピックアップ装置において、上記構成の球面収差補正素子を前記対物レンズより前記光源側の光軸上に設けたことを特徴とする光ピックアップ装置である。
【００１５】
また本発明は、上記構成の光ピックアップ装置であって、上記球面収差補正素子を少なくとも２個以上設けたことを特徴とする光ピックアップ装置である。
【発明の効果】
【００１６】
本発明の第１の構成によれば、光ピックアップ装置内に高分子樹脂中に所定パターンに分散した液晶の粒からなるホログラフィック高分子分散型液晶を対向する一対の透明電極間に挟持して構成される球面収差補正素子を配すことにより、対物レンズに所定の角度を有する発散光を入射させ球面収差を打ち消す。これにより、規格の異なる光ディスク使用時にカバー層の厚み誤差によって生じる球面収差の補正及び適度なＷＤを確保することができる。
【００１７】
また、本発明に係る球面収差補正素子を透過した特定波長光は球面収差に必要な＋１次光のみを発生することが可能であるため、±１次光を発生させる従来のネマテッィク液晶を用いた球面収差補正素子と比較して光利用効率を高めることが可能となる。
【００１８】
また、球面収差補正素子を複数個設けることにより、ＣＤ、ＤＶＤ等複数の光ディスクの使用時に発生する各球面収差を、対応する球面収差補正素子で個別に補正することができ、ＢＤ／ＤＶＤ／ＣＤ互換光ピックアップ装置の提供が可能となる。
【００１９】
また、ホログラフィック高分子分散型液晶により構成される球面収差補正素子は波長選択性により特定波長以外の光をほぼ素通りさせるため、球面収差補正素子を複数設けた場合においても、光利用効率への影響は少ない。また、透明基板とホログラフィック高分子分散型液晶の間に介された透明電極に電圧を印加することで特定波長光以外の光透過性をさらに高め、光利用効率を向上させることができる。
【００２０】
また、本発明の第２の構成によれば、球面収差補正素子を透明基板間に液晶と高分子樹脂からなるホログラフィック高分子分散型液晶を挟持して構成することにより、対物レンズに所定の角度を有する発散光を入射して球面収差を打ち消すことで球面収差の補正及び適度なＷＤを確保することができる。
【００２１】
また、同時に球面収差補正素子を透過した光は球面収差に必要な＋１次光のみ発生し、±１次光を発生させる従来のネマテッィク液晶を用いた従来の球面収差補正素子と比較して高い光利用効率を確保することができる。
【００２２】
また、ホログラフィック高分子分散型液晶により構成される球面収差補正素子は波長選択性を有するために特定波長以外の光をほぼ素通りさせるため、異なる波長光を使用するＢＤ、ＤＶＤ、ＣＤの使用においても光利用効率への影響を少なくすることが可能である。
【００２３】
また、本発明の第３の構成によれば、透明基板とホログラフィック高分子分散型液晶の間に透明電極を介し、電極に電圧をかけることで特定波長以外の波長光が球面収差補正素子を透過する際、透過率をさらに向上させることができ、光利用効率をいっそう向上させることができる。
【００２４】
また、本発明の第４の構成によれば、透明基板間に液晶の粒と高分子樹脂の混合液を挟み、該混合液に光の干渉縞を照射する工程により球面収差補正素子を作製することにより、上記球面収差補正素子を容易に作製することができる。
【００２５】
また、本発明の第５の構成によれば、光源と、対物レンズと、光検出器とを備えた光ピックアップ装置において、上記球面収差補正素子を対物レンズより光源側の光軸上に設けることで、光利用効率の優れる球面収差補正素子により、光強度が要求される再生及び記録時において好適な再生及び記録が可能となる。
【００２６】
また、本発明の第６の構成によれば、球面収差補正素子を複数個設けることにより、ＣＤ、ＤＶＤ等複数の光ディスクの使用時に発生する各球面収差を、対応する球面収差補正素子で個別に補正することができ、ＢＤ／ＤＶＤ／ＣＤ互換光ピックアップ装置の提供が可能となる。また、球面収差補正素子は波長選択性を有するため、異なる波長光を使用するＢＤ、ＤＶＤ、ＣＤの使用においても光利用効率への影響が少ない。
【発明を実施するための最良の形態】
【００２７】
以下、本発明の実施形態を図面を参照して説明する。なお、ここで示す実施形態は一例であり、本発明はここに示す実施形態に限定されるものではない。なお、従来例の図７、図８と共通する部分には同一の符号を付して説明を省略する。
【００２８】
図１は本発明の実施形態である光ピックアップ装置１０の構成を示すものである。この光ピックアップ装置１０は、レーザ光源１、ビームスプリッタ２、コリメータレンズ３、対物レンズ４、集光レンズ５、光検出器６、球面収差補正素子８、反射鏡９で構成されている。
【００２９】
再生時、レーザ光源１から出射したレーザ光は、コリメータレンズ３で平行光とされた後、ビームスプリッタ２を透過し、反射鏡９により方向を変え球面収差補正素子８に入射し、その後、球面収差補正素子８から対物レンズ４方向に出射し、対物レンズ４で絞られ光ディスク７の信号面上に集光照射される。なお、光ディスク７表面は所定の厚さを有するカバー層により覆われ保護されている。
【００３０】
一方、信号面上から反射するレーザ光の戻り光は、対物レンズ４、を透過した後、球面収差補正素子８を透過し、ビームスプリッタ２で反射し、集光レンズ５を介して光検出器６に入射する。こうして、光検出器６から得られる光出力はトラッキング検出信号、再生信号として用いられる。なお、図１においてレーザ光源１は三波長一体型の光源を使用しているが、複数の光源を搭載してもよい。
【００３１】
ここで、同一の対物レンズ４を用いてＣＤ，ＤＶＤ，ＢＤ等の異なる規格の光ディスクを再生する場合、カバー層の厚みがそれぞれ異なるため、球面収差が発生し再生信号が劣化するという問題が生ずる。
【００３２】
この再生信号の劣化を解消するため、対物レンズ４とレーザ光源１間の光軸上に球面収差補正素子８を配置し、球面収差補正素子８に入射したレーザ光を所定の発散角αで出射させ、対物レンズ４に所定の角度で入射させることで球面収差を打ち消し、球面収差を補正し、併せて十分なＷＤを確保している。なお、光ディスク７を反射し、球面収差補正素子８にαの角度で入射した光は元の平行光として出射し、ビームスプリッタ２方向へ進行する。なお、屈折角αは使用する各光ディスクに応じて設定される角度である。
【００３３】
したがって、この発散角αを最適に設計することで異なる波長光を用いる光ディスクの再生記録において発生する球面収差を個別に補正することができる。このとき、球面収差補正素子８の発散角αは構成される液晶の粒の分散パターンにより決定され、波長選択性を有する。したがって、規格のことなる複数の光ディスクを再生記録する場合、出射する光の発散角αが異なる球面収差補正素子８を複数設け、対応する素子を用いて球面収差補正を行なう必要がある。
【００３４】
なお、球面収差補正素子８は上記発散角選択性の外に波長選択性を有し、具体的には、厚さ１０μｍのホログラフィック高分子分散型液晶を有する１５を有する球面収差補正素子８に対して高透過率を得ることができる。このため、複数の波長光を用いるＢＤ／ＤＶＤ／ＣＤ互換光ピックアップ装置においても不要な光透過率の低下を招くことはない。
【００３５】
次にこの球面収差補正素子８について具体的に説明する。図２（ａ）は球面収差補正素子８の一部を切り出した斜方図であり、図２（ｂ）は図２（ａ）に記載の球面収差補正素子８のＡ−Ａ’における断面図、図２（ｃ）はＢ−Ｂ’における断面図である。球面収差補正素子８は対向する二枚の透明基板であるガラス板１１ａ、１１ｂにより挟持されたホログラフィック高分子分散型液晶（Ｈｏｌｏｇｒａｐｈｉｃ  Ｐｏｌｙｍｅｒ  Ｄｉｓｐｅｒｓｅｄ  Ｌｉｑｕｉｄ  Ｃｒｙｓｔａｌ）１５からなり、ホログラフィック高分子分散型液晶１５は高分子樹脂１５ａ中に所定の３次元パターンで分散した液晶の粒１５ａにより構成されている。（図２（ｃ）参照）なお、図示していないが、各ガラス板１１ａ、１１ｂとホログラフィック高分子分散型液晶１５の間に透明電極を設ける場合、対向する一対の透明電極でホログラフィック高分子分散型液晶１５を挟持し、透明基板１１ａ、１１ｂで透明電極を支持する。なお、この透明電極として、例えばＩＴＯ（酸化インジウムスズ）が挙げられる。
【００３６】
また、液晶の粒１５ａには直径１００ｎｍ以下のネマティック液晶の粒を用い、高分子樹脂１５ｂには液晶の粒１５ａを構成する液晶と略同一の屈折率を有する材料を用い、これらで構成されるホログラフィック高分子分散型液晶１５の厚みは数μｍ〜数十μｍである。
【００３７】
なお、液晶の粒１５ａをネマティック液晶の粒で構成する代わりにスメクティック液晶の粒などで構成することで、高い配向保持性を付与し、電界印可後の配向状態をより保持させることも可能である。
【００３８】
高分子樹脂１５ｂ中に分散した液晶の粒１５ａは球面収差補正素子８の面上に入射した光のうち、図２（ｂ）で示した同心円外側の領域に入射した光ほど出射光の発散角が大きくなるよう中心から外側方向へ間隔を狭めながら同心円状に配列している。
【００３９】
これは、位相シフトパターンを示す図３から明らかなように、光ディスク７のカバー層の厚みのばらつきによる球面収差は、対物レンズ４の中心から外側にいくほど収差値が大きくなる同心円状の分布を有するためであり、このような形状の収差を打ち消すような収差補正パターンは液晶の粒１５ａの配列パターンを収差の度合いに応じて領域ごとに３次元的に設計することで、連続的に球面収差を打ち消し、残留収差をいっそう低く抑えることができる。なお、本発明において図２に示した高分子樹脂１５ｂ中の液晶の粒１５ａの配列パターンは一実施形態に過ぎず、配列パターンを限定するものではない。
【００４０】
次にこの高分子樹脂１５中に分散した液晶の粒１５ａの配列パターンの設計方法について説明する。本発明に係る球面収差補正素子８は異なる方向から照射したレーザ光が、互いに干渉しあい形成される干渉縞において、光強度の強い腹の部分で高分子の光重合を開始させ、光強度の弱い節の部分に液晶の粒１５ａによる配列パターンを形成することで作製される。
【００４１】
図４は本発明に係る球面収差補正素子８の作成方法を示す図である。球面収差補正素子８に入射したレーザ光は所定の発散角αで出射し、対物レンズ４に入射しそこで球面収差補正が行なわれ光ディスク７上の集光点７ａに集光照射される必要がある。このため、集光点７ａから特定波長光を発光させ、対物レンズ４を透過し入射角αで入射するレーザ光と、コリメータレンズ３で平行光とした前記特定波長光と等価なレーザ光を干渉させ干渉縞を形成し、この干渉縞が形成される領域に２枚のガラス板１１ａ、１１ｂの間に液晶の粒１５ａと光硬化性樹脂が互いに溶け合わさった混合液を注入したものを配置することで、該混合液に照射される干渉縞に応じた液晶の粒１５ａの配列パターンを形成することができる。
【００４２】
これにより、干渉縞を形成する一方の光を上記作成された球面収差補正素子８に入射させると、干渉縞を形成するもう一方の光と等価な光が球面収差補正素子８から出射する。つまり、コリメータレンズ３で平行光とした前記特定波長光を球面収差補正素子８に入射させることで発散角αを有する光が球面収差補正素子８から出射し、対物レンズ４により集光点７ｂへ集光照射する。
【００４３】
ＤＶＤ用球面収差補正素子８について具体的に説明すると、図５に示すように球面収差補正素子８を作成する場合、レーザ光源１から出射し、コリメータレンズ３で平行光となった赤色レーザ光をハーフミラー１２で２分割した後、一方の赤色レーザ光を反射鏡９を用いて第１レンズ１１に入射させＤＶＤディスク７上の集光点７ａに集光させた後、対物レンズ４を透過させ球面収差補正素子８を配置する所定の領域に一定の入射角で入射させる。これにより、ＤＶＤディスク上に位置する集光点７ａと等価な点から発光する赤色レーザ光を所定領域に形成することができる。
【００４４】
以上より、集光点７ａからの入射光とレーザ光源１からのもう一方の光が球面収差補正素子８を配置する所定の領域で互いに干渉しあい干渉縞を形成し、この領域にガラス板１１ａ、１１ｂの間に液晶と光硬化性樹脂が互いに溶け合わさった混合液を注入し、干渉縞を照射することで液晶の粒１５ａが所定の配列パターンを形成し、ＤＶＤ用球面収差補正素子８が作製される。
【００４５】
なお、ＣＤ、ＢＤ用球面収差補正素子８についても上記方法と同様の方法により、対応するレーザ光により作製することができる。
【００４６】
以上より、異なる方向から照射したレーザ光の干渉により形成される干渉縞を用いて液晶の粒１５ａの３次元配列パターンが形成され、残留収差をいっそう低く抑えることができる。
【００４７】
また、上記作製した球面収差補正素子８は発散角αを選択することができるとともに特定波長以外の波長光をほぼ素通りさせる波長選択性を有するため、ＢＤ／ＤＶＤ／ＣＤ互換光ピックアップ装置を作製するには、例えばＤＶＤ、ＣＤに対応する球面収差補正素子８を重ね合わせ、各波長光に対応する球面収差を各球面収差補正素子８で行なえばよい。
【００４８】
図６はＣＤ及びＤＶＤ用複数球面収差補正素子８ａ、８ｂを設けた場合の光ディスク７上に集光する光の進行を示したものである。ＣＤを使用する場合、図１６（ａ）より赤外波長光はＤＶＤに対応する球面収差補正素子８ｂを透過し、ＣＤに対応する球面収差補正素子８ａで所定の発散角α１で発散し球面収差を行なう。また、ＤＶＤを使用する場合、赤色波長光はＤＶＤに対応する球面収差補正素子８ｂで所定の発散角α２で発散し、ＣＤに対応する球面収差補正素子８ａを透過し、球面収差を行なう。また、ＢＤを使用する場合、対物レンズをＢＤ用に最適設計しておけば、青色波長光は各球面収差補正素子８を透過し球面収差補正を行なう必要はない。
【００４９】
また、球面収差補正素子８を構成するガラス板１１ａ、１１ｂとホログラフィック高分子分散型液晶１５の間に透明電極（不図示）を介しホログラフィック高分子分散型液晶１５に電圧を印加することで、特定波長以外の波長光の透過時、光の減衰を抑え光の利用効率を高めることができる。
【００５０】
これは、透明電極に電圧が印可されない状態において、入射した光は液晶の粒１５ａ（図２（ｃ）参照）と高分子樹脂１５ｂ（図２（ｃ）参照）の屈折率の差により散乱し、ブラッグ条件を満たす特定波長の光のみが所定方向に発散するが、透明電極に電圧が印可した場合、液晶の粒１５ａが配向し、光軸方向に対して液晶の粒１５ａと高分子樹脂１５ｂの屈折率が限りなく一致し、散乱がほとんど発生しないからである。
【００５１】
また、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。
【産業上の利用可能性】
【００５２】
本発明は、レンズの収差を補正し、安定した光ディスクの再生及び録画を可能とする光ピックアップ装置に関する。
【図面の簡単な説明】
【００５３】
【図１】本発明に係る光ピックアップ装置の構成図である。
【図２】本発明に係る球面収差補正素子の構成を示す図である。
【図３】位相シフトパターンを示す図である。
【図４】本発明に係る球面収差補正素子の作製方法を示す図である。
【図５】本発明に係る球面収差補正素子の作製方法を示す図である。
【図６】本実施形態の球面収差補正素子に入射した光ビームが回折されて発散光となって出射し対物レンズにより集光する様子を示した模式図である。
【図７】従来の対物レンズと光ディスクの距離を示す比較図である。
【図８】従来の液晶回折素子に入射した光ビームが回折されて発散光となって出射し対物レンズにより集光する様子を示した模式図である。
【符号の説明】
【００５４】
１    レーザ光源
２    ビームスプリッタ
３    コリメータレンズ
４    対物レンズ
５    集光レンズ
６    光検出器
７    光ディスク
７ａ  集光点
８    球面収差補正素子
９    反射鏡
１０    光ピックアップ装置
１１    ガラス板
１２    ハーフミラー
１３    液晶回折素子
１５    ホログラフィック高分子分散型液晶
【図１】
2008052837.tif 000003
【図３】
2008052837.tif 000004
【図４】
2008052837.tif 000005
【図５】
2008052837.tif 000006
【図６】
2008052837.tif 000007
【図７】
2008052837.tif 000008
【図８】
2008052837.tif 000009
【図２】
2008052837.tif 000010
【手続補正書】
【提出日】平成18年9月11日(2006.9.11)
【手続補正１】
【補正対象書類名】明細書
【補正対象項目名】００３４
【補正方法】変更
【補正の内容】
【００３４】
なお、球面収差補正素子８は上記発散角選択性の外に波長選択性を有し、具体的には、厚さ１０μｍのホログラフィック高分子分散型液晶１５を有する球面収差補正素子８に対して高透過率を得ることができる。このため、複数の波長光を用いるＢＤ／ＤＶＤ／ＣＤ互換光ピックアップ装置においても不要な光透過率の低下を招くことはない。